(57)【要約】      （修正有）【課題】封筒を利用して貨幣及びコインを搬送する際、貨幣及びコインの重量等による封筒を破損する問題を解決する。【解決手段】貨幣搬送封筒１０の貨幣搬送封筒裏面１０ｂで谷折線１０１ａの反面の折り綴じ上部１０２に上部粘着テープ２０３、折り綴じ側部１０３に側部粘着テープ２０５、折り綴じ下部１０４に下部粘着テープ２０４を設け、その内側にコイン止粘着テープ２０２が設けられる。コイン止粘着テープ２０２はコイン２０１を添付固定するためのもので、貨幣搬送封筒１０の谷折線１０１ａより二つ折りの際に、コイン止粘着テープ２０２の接着を防止するためにセパレート部２０を設けるものである。【選択図】図２
0003123653.tif 000002
【実用新案登録請求の範囲】
【請求項１】
用紙基材に折り込線を設け、折り込線からの左右いずれか基材端部に延長折り込部を設けさらに折り込線からの左右いずれかの天地に延長折り込部を設け、谷折り込線からの半面部にセパレート及びニス加工を施し、前記セパレート及びニス加工を設けた対象半面部の任意の位置に一箇所以上の両面テープを設けたことを特徴とする
貨幣搬送封筒。
【請求項２】
用紙基材に印刷及び折り込線を設け、折り込線からの左右いずれか基材端部に延長折り込部に両面テープを設けさらに折り込線からの左右いずれかの天地に延長折り込部に両面テープを設け、谷折り込線からの半面部に印刷、セパレート及びニス加工を施し、前記セパレート及びニス加工を設けた対象半面部の任意の位置に一箇所以上の両面テープを設けたことを特徴とする請求項１記載の貨幣搬送封筒。
【考案の詳細な説明】
【技術分野】
【０００１】本考案は、貨幣及びコイン等を搬送する封筒に関するものである。
【背景技術】
【０００２】従来、封筒を利用して貨幣及びコインを搬送する際、貨幣及びコインの重量等により封筒を破損する問題がみられた。
【考案が解決しようとする課題】
【０００３】  これには次のような欠点があった。
特願２００５−１９６７９０の外貨換金システムにおいて、特定封筒における発明を記載したが、外貨換金システムにおいての硬貨の搬送における円滑なる封筒の考案がなされていなかった。
【０００４】封筒の開口部の近傍の裏面に面ファスナーのループ部と、折り返す蓋部分に面ファスナーの係止鈎部を取付けると共に、封筒の開口部の内側に折返し自在に内蓋を取付けて、ここに硬貨を挟み込んで止めた封筒が考案されていたが、硬貨を封筒内に固定するものではなかった。
【特許文献１】特許公開番号  特開平９−２０２３３４
【０００５】外貨換金システムにおいて、硬貨の搬送において安全性との活用性を高めた封筒の考案がなされていなかった。
本考案は、これらの欠点を解決するためになされたものである。
【課題を解決するための手段】
【０００６】封筒となる用紙基材に印刷及び折り込線を設け、折り込線からの左右いずれか基材端部に延長折り込部に綴込み用の両面テープを設けさらに折り込線からの左右いずれかの天地に延長折り込部に綴込み用両面テープを設ける。
谷折り込線からの半面部に必要情報の印刷を設け、その上層にセパレート及びニス加工を施し、前記セパレート及びニス加工を設けた対象半面部の任意の位置に一箇所以上の両面テープを設けたことを特徴とする貨幣搬送封筒を課題を解決するための手段として提供する。
【考案を実施するための最良の形態】
【０００７】  以下、本考案の実施の形態について図１乃至図４をもちいて説明する。
図１に記載されているのは、本考案、貨幣搬送封筒（１０）の貨幣搬送封筒表面（１０ａ）で折り込みをおこなう位置に山折線（１０１）の反面に折り綴じ上部（１０２）、折り綴じ側部（１０３）、折り綴じ下部（１０４）を設け、相反面に前記綴じ部を受ける折り綴じ上部貼り位置（１０２ａ）、折り綴じ側部貼り位置（１０３ａ）、折り綴じ下部貼り位置（１０４ａ）に構成されている。【０００８】図２に記載されているのは、前記図１に記載した貨幣搬送封筒（１０）の貨幣搬送封筒裏面（１０ｂ）で谷折線（１０１ａ）の反面の折り綴じ上部（１０２）に上部粘着テープ（２０３）、折り綴じ側部（１０３）に側部粘着テープ（２０５）、折り綴じ下部（１０４）に下部粘着テープ（２０４）を設け、その内側にコイン止粘着テープ（２０２）が設けられる。
コイン止粘着テープ（２０２）はコイン（２０１）を添付固定するためのもので、貨幣搬送封筒（１０）の谷折線（１０１ａ）より二つ折りの際に、コイン止粘着テープ（２０２）の接着を防止するためにセパレート部（２０）を設けるものである。【０００９】図３に記載されているのは、前記図１及び２に記載の貨幣搬送封筒（１０）の谷折線（１０１ａ）より二つ折り（折り方向Ａ）される経過を示した図で、コイン止粘着テープ（２０２）にコイン（２０１）を添付固定し、上部（１０２）に上部粘着テープ（２０３）（折り方向ｃ）、折り綴じ側部（１０３）に側部粘着テープ（２０５）（折り方向Ｂ）、折り綴じ下部（１０４）に下部粘着テープ（２０４）（折り方向Ｄ）にそれぞれ折り綴じられる。
貨幣搬送封筒（１０）の貨幣搬送封筒表面（１０ａ）、貨幣搬送封筒裏面（１０ｂ）には必要に応じて印刷を設けるもので、接着を防止するためにセパレート部（２０）においても、接着防止のニス加工を施すことも可能である。
また、貨幣搬送封筒（１０）の基材（３０）においても、強度性や搬送性、環境性の必要に応じての任意のフィルム、用紙、特殊紙等にて構成されるものである。【００１０】図４に記載されているのは、本考案の構成の断面図を示したものである。【００１１】以上、本考案の貨幣搬送封筒の構成で実施において図５をもちいて下記に示す。
本考案の実施
特願２００５−１９６７９０の外貨換金システムにおいて、特定封筒における発明を記載したが、外貨換金システムにおいての硬貨の搬送における円滑なる封筒の考案がなされていなかった。
これは、硬貨の搬送における封筒内で硬貨の移動と硬貨の重量により封筒が破損する欠点があった。
特願２００５−１９６７９０の外貨換金システムは換金者が、貨幣搬送封筒（１０）に必要情報を記入後、換金する外貨貨幣を貨幣搬送封筒（１０）のコイン止粘着テープ（２０２）にコイン（２０１）を添付固定し外貨換金投函箱に投函する。
外貨硬貨の換金レートは、換金者の換金申し込み日及び換金受付日等換金システムに対応した任意の手段で設定され、外貨換金投函箱に投函された前記、貨幣搬送封筒（１０）を外貨貨幣換金システム管理及びカード発行所が回収し、外貨貨幣の価値情報及び換金者情報を記録し、ＩＣカード及び磁気カードに手数料等を差し引いた換金額の情報を入力する。
換金額の情報入力済みＩＣカード及び磁気カードを受理した換金者は、銀行、郵便局、コンビニエンスストア、デパート等の特約店で換金額の情報入力済みＩＣカード及び磁気カードの情報金額にあたいする、商品券及び商品の購入や換金が可能とされるものである。
従ってシステムの実施及び本考案の貨幣搬送封筒（１０）の実施形態は図５に示したものである。
以上、本発明は実施される。
【考案の効果】
【００１２】  本考案の貨幣搬送封筒の実施において下記の効果が得られる。
硬貨の搬送において安全性との活用性を高めた封筒の利用効果が望め、硬貨が搬送される本考案の貨幣搬送封筒の開封後に硬貨の認知が容易であり、スキャナを用いて硬貨の記録情報と換算等のシステムの構築の効果を得る。
本考案の貨幣搬送封筒の実施効果により、特願２００５−１９６７９０の外貨換金システムにおいて換金者と外貨貨幣換金システム管理及びカード発行所の間の流通で貨幣搬送封筒は任意の回収手段により活用される効果を実現するものである。
本考案は、以上のような効果を実現できるものである。
【図面の簡単な説明】
【００１３】
【図１】本考案、封筒の表面の実施形態の図である。
【図２】本考案、封筒の裏面の実施形態の図である。
【図３】本考案、封筒の斜視の実施形態の図である。
【図４】本考案、封筒の断面図である。
【図５】本考案、封筒の実施におけるシステムの形態図である。
【符号の説明】
【００１４】１０．硬貨搬送封筒
１０ａ．硬貨搬送封筒表面
１０ｂ．硬貨搬送封筒裏面
１０１．山折線
１０１ａ．谷折線
１０２．折り綴じ上部
１０２ａ．折り綴じ上部貼り位置
１０３．折り綴じ側部
１０３ａ．折り綴じ側部貼り位置
１０４．折り綴じ下部
１０４ａ．折り綴じ下部貼り位置
２０．セパレート部
２０１．コイン
２０２．コイン止粘着テープ
２０３．上部粘着テープ
２０４．下部粘着テープ
２０５．側部粘着テープ
３０．基材
【図１】
0003123653.tif 000003
【図２】
0003123653.tif 000004
【図３】
0003123653.tif 000005
【図４】
0003123653.tif 000006
【図５】
0003123653.tif 000007